(57)【特許請求の範囲】
【請求項１】
磁気テープ媒体の複数のトラックを同時に記録・再生を行う磁気ヘッドを有する磁気テープ装置であって、前記磁気テープ媒体は、先頭から順次前記磁気テープ媒体のフォワード方向走行に対してデータ領域に記録されているデータの記録方式を識別する記録密度識別バーストとバースト領域とインターブロックギャップ領域と前記データ領域とを有し、前記バースト領域は、前記磁気ヘッドにより再生した信号を増幅する再生増幅器の利得自動調整用のレベルバーストと前記磁気テープ媒体のリバース走行時における前記バースト領域へ突入したことを検知する識別バーストとを有し、前記磁気ヘッドにより前記レベルバーストが正常に再生できない場合、前記バースト領域から前記磁気テープ媒体をリバース方向走行により前記バースト領域を書き直す手段を有することを特徴とする磁気テープ装置。
【請求項２】
磁気テープ媒体のフォワード方向走行時に前記磁気テープ媒体を巻き取る巻き取りリールと、前記磁気テープ媒体のリバース方向走行時に前記磁気テープ媒体を巻き取る供給リールと、前記供給リールと前記巻き取りリールとの間に配置され前記磁気テープ媒体に情報の記録再生を行う磁気ヘッドと、前記磁気ヘッドに対する前記磁気テープ媒体のテンションを付与すると共に前記磁気テープ媒体をフォワード方向／リバース方向に走行させるモータと、前記モータの駆動制御を行うモータ制御部とを有するデッキ部と、ホスト装置と前記デッキ部とに各々インターフェース部を介して接続され前記デッキ部に動作命令を出すと共に前記デッキ部の状態を前記ホスト装置に報告するフォーマッタ部とを有する磁気テープ装置であって、前記磁気テープ媒体は、前記磁気テープ媒体の始端であることを示す物理的なマーカと前記磁気テープ媒体のフォワード方向走行に対してデータ領域に記録されているデータの記録方式を識別する記録密度識別バーストと複数の物理トラックとを有し、前記物理トラックは、前記記録密度識別バーストとバースト領域とデータ領域とインターブロックギャップ領域とを有し、前記バースト領域は、前記磁気ヘッドにより再生した信号を増幅する再生増幅器の利得自動調整用のレベルバーストと前記磁気テープ媒体のリバース走行時における前記バースト領域へ突入したことを検知する識別バーストとを有し、前記デッキ部は、前記磁気ヘッドで再生した前記レベルバーストの再生信号を増幅するプリアンプと、前記プリアンプの出力をフィルタリングするローパスフィルタと、前記ローパスフィルタからの出力を規定された振幅レベルまで波形整形する自動ゲイン制御部と、前記レベルバーストが前記自動ゲイン制御部で規定された振幅レベルまで増幅されない場合に前記インターフェース部を介してエラーステータス信号を前記フォーマッタ部に送信する手段と、前記インターフェース部を介して前記フォーマッタ部から送信されるデータを前記磁気テープ媒体に記録する波形に変換するライトデータ整形回路とを有し、前記フォーマッタ部は、前記エラーステータス信号を入出力制御回路を介して受信し前記ホスト装置へ前記デッキ部がビジー状態であることを報告するマイクロプロセッサを有し、前記マイクロプロセッサは、前記デッキ部に対して前記磁気テープ媒体のフォワード方向走行で前記識別バーストの終端点または前記レベルバーストの終端点まで前記バースト領域を読み出す命令を発行する手段と、前記識別バーストの終端点または前記レベルバーストの終端点からリバース方向走行を行い前記バースト領域の書き直し命令を発行する手段とを有することを特徴とする磁気テープ装置。
【請求項３】
前記磁気ヘッドは、マルチヘッドを有することを特徴とする請求項１または２記載の磁気テープ装置。
【請求項４】
前記磁気テープ媒体は、９本のトラックを有することを特徴とする請求項１または２記載の磁気テープ装置。
【請求項５】
前記レベルバーストは、全トラックにオール１パターンを有し、前記識別バーストは、６本のトラックにオール１パターンを有することを特徴とする請求項１、２、４の何れか１項記載の磁気テープ装置。
【請求項６】
前記レベルバーストは、前記データ領域に記録されているデータを再生する前に、前記レベルバーストのデータ振幅レベルを基に前記再生増幅器の利得を設定する調整に使用され、設定されたゲインの値を用いて記録データを再生することを特徴とする請求項１または２記載の磁気テープ装置。
【請求項７】
リバース方向走行により書き直される前記バースト領域は、前記レベルバースト、または前記識別バーストと前記レベルバーストとであることを特徴とする請求項１または２記載の磁気テープ装置。
【請求項８】
前記フォーマッタ部は、前記レベルバーストの書き直し命令発行後、前記エラーステータス信号が前記インタフェース部を介して前記デッキ部より送られてくる場合、再度書き直しのリトライ命令を発行する手段を有することを特徴とする請求項２記載の磁気テープ装置。
【請求項９】
磁気テープ媒体の複数のトラックを磁気ヘッドにより同時に記録・再生を行う磁気テープ装置のリードマージン向上方法であって、前記磁気テープ媒体は、先頭から順次前記磁気テープ媒体のフォワード方向走行に対して前記データ領域に記録されているデータの記録方式を識別する記録密度識別バーストとバースト領域とインターブロックギャップ領域とデータ領域とを有し、前記バースト領域は、前記磁気ヘッドにより再生した信号を増幅する再生増幅器の利得自動調整用のレベルバーストと前記磁気テープ媒体のリバース走行時における前記バースト領域へ突入したことを検知する識別バーストとを有し、前記磁気ヘッドにより前記レベルバーストが正常に再生できない場合、前記バースト領域から前記磁気テープ媒体をリバース方向に走行させるステップと、リバース方向走行により前記バースト領域を書き直すステップとを有することを特徴とする磁気テープ装置のリードマージン向上方法。
【請求項１０】
磁気テープ媒体の複数のトラックを磁気ヘッドにより同時に記録・再生を行う磁気テープ装置のリードマージン向上方法であって、前記磁気テープ媒体は、先頭から順次前記磁気テープ媒体のフォワード方向走行に対してデータ領域に記録されているデータの記録方式を識別する記録密度識別バーストとバースト領域とインターブロックギャップ領域と前記データ領域とを有し、前記バースト領域は、前記磁気ヘッドにより再生した信号を増幅する再生増幅器の利得自動調整用のレベルバーストと前記磁気テープ媒体のリバース走行時における前記バースト領域へ突入したことを検知する識別バーストとを有し、前記磁気ヘッドにより前記記録密度識別バーストを再生するステップと、前記記録密度識別バーストが正常に再生できたとき前記レベルバーストを再生するステップと、前記レベルバーストが正常に再生できたとき前記再生増幅器のゲインを設定するステップと、設定したゲインにより前記識別バーストを再生するステップと、前記識別バーストが正常に再生できたとき前記データ領域を再生するステップと、前記レベルバーストが正常に再生できない場合、前記磁気テープ媒体のフォワード方向走行で前記識別バーストの終端点または前記レベルバーストの終端点まで前記レベルバーストを再生するステップと、前記識別バーストの終端点または前記レベルバーストの終端点から前記磁気テープ媒体をリバース方向に走行させ前記識別バーストと前記レベルバースト、または前記レベルバーストを書き直すステップとを有することを特徴とする磁気テープ装置のリードマージン向上方法。
【請求項１１】
前記バースト領域を書き直した後、前記レベルバーストが正常に再生できない場合は、再度前記レベルバーストを書き直すリトライのステップを有することを特徴とする請求項９または１０記載の磁気テープ装置のリードマージン向上方法。
【請求項１２】
前記リトライを規定回数行って前記レベルバーストが正常に再生できない場合は、前記再生増幅器のゲインを初期値に設定するステップを有することを特徴とする請求項１１記載の磁気テープ装置のリードマージン向上方法。
【発明の詳細な説明】
【０００１】
【発明の属する技術分野】
本発明は、複数トラックを同時に読み書きするマルチヘッドを有するサーペンタイン方式の磁気テープ装置およびそのリードマージン向上方法に関し、特に、磁気テープ媒体の先頭部に配置されているＡＲＡ（Ａｕｔｏｍａｔｉｃ  Ｒｅａｄ  Ａｍｐｌｉｆｉｃａｔｉｏｎ）レベルバースト領域が、読み出せなかった場合、ＡＲＡレベルバースト領域を書き直し、リードアンプゲインを再設定することにより、データ領域に記録されたデータを正しく読みだすことのできる磁気テープ装置およびそのリードマージン向上方法に関する。
【０００２】
【従来の技術】
次に、従来のこの種の磁気テープ装置について、図面を参照して説明する。
【０００３】
図５は、従来の磁気テープ装置を示す概略構成ブロック図である。
【０００４】
図５を参照すると、磁気テープ装置１０１は、デッキ部２０と、ホスト装置１０とデッキ部２０とに各々インターフェース部（１）３５、インターフェース部（２）２４を介して接続されデッキ部２０に動作命令を出すと共にデッキ部２０からのデータをホスト装置１０に転送するフォーマッタ部１３０とで構成される。
【０００５】
磁気テープ媒体４０は、磁気テープ媒体４０のフォーマットを示す図４を参照すると、先頭に磁気テープ媒体４０の始端であることを示す物理的なＢＯＴ（Ｂｅｇｉｎｎｉｎｇ  ｏｆ  Ｔａｐｅ）マーカ４７があり、トラック”１”〜トラック”９”の９本の物理トラック４７は、バースト領域４１とデータ領域４３とインターブロックギャップ領域（ＩＢＧ領域）４２とから成り、バースト領域４１は、磁気テープ媒体４０のフォワード方向走行１５に対して、順次、データ領域４３に記録されているデータの記録方式を識別する記録密度識別バースト４６と磁気ヘッド２１により再生した信号を増幅する再生増幅器（ＡＧＣ）２７の利得自動調整用のＡＲＡレベルバースト４５と磁気テープ媒体４０のリバース方向走行１６時におけるバースト領域４１へ突入したことを検知するＡＲＡ識別バースト４４とから構成される。
【０００６】
デッキ部２０は、磁気テープ媒体４０に情報の記録再生を行う磁気ヘッド２１と、磁気ヘッド２１に対する磁気テープ媒体４０のテンションを付与すると共に磁気テープ媒体４０をフォワード方向／リバース方向に走行させるモータ２２と、モータ２２の駆動制御を行うモータ制御部２３と、磁気ヘッド２１で再生したＡＲＡレベルバースト４５の再生信号を増幅するプリアンプ２５と、プリアンプ２５の出力をフィルタリングするローパスフィルタ（ＬＰＦ）２６と、ローパスフィルタ２６からの出力を規定された振幅レベルまで波形整形する自動ゲイン制御部（ＡＧＣ）２７と、インターフェース部（２）２４を介してフォーマッタ部１３０から送信されるデータを磁気テープ媒体４０に記録する波形に変換するライトデータ整形回路２８とから構成される。
【０００７】
フォーマッタ部１３０は、ホスト装置１０からの命令をインターフェース部（１）３５、入出力制御回路（ＩＯ制御回路）３１を介して受信するマイクロプロセッサ（ＭＰＵ）１３２と、磁気テープ媒体４０に記録するデータ方式に変換を行うライトデータ制御回路３３と、ホスト装置１０で認識できる元データに戻されるリードデータ制御回路３４とで構成される。
【０００８】
次に、上述のように構成された磁気テープ装置１０１の動作について、図面を参照して説明する。
【０００９】
図６は、磁気テープ装置１０１の再生（読み出し）動作を示すフローチャートである。
【００１０】
図６を参照すると、再生動作を開始するとバースト領域４１を読み出し（ステップ１０１）、先ず記憶密度識別バースト４６の読み出しを行うが（ステップ１０２）、記録密度識別バースト４６を正常に読み出せない場合、磁気テープ媒体４０に書き込まれている記録密度を特定することができないため、異常終了となり（ステップ１０８）、記録密度識別バースト４６を正常に読み出せた場合、次にＡＲＡレベルバースト４５の読み出しを行う（ステップ１０３）。
【００１１】
ＡＲＡレベルバースト４５が正常に読み出せた場合、リードアンプのゲイン値をＡＧＣ２７で適切に設定し（ステップ１０４）、ＡＲＡ識別バースト４４の読み出しを行う（ステップ１０５）が、ＡＲＡレベルバースト４５を正常に読み出せない場合は、フォーマッタ部３０へＡＲＡレベルエラー信号を示すエラーステータス信号をデッキ部２０より報告を行い（ステップ１０９）、リードアンプのゲイン値を初期値に再設定し（ステップ１１０）、その後ＡＲＡ識別バースト４４の読み出しを行う（ステップ１０５）。
【００１２】
ＡＲＡ識別バースト４４を正常に読み出せない場合、異常終了となり（ステップ１１１）、ＡＲＡ識別バースト４４を正常に読み出せた場合、データ領域４３の記録データの読み出しを行い（ステップ１０６）、記録ブロック４９のデータを正常に読み出すことができた場合は、正常終了となり（ステップ１０７）、記録ブロック４９のデータを正常に読み出せなかった場合は、異常終了となる（ステップ１１１）。
【００１３】
上述の磁気テープ装置１０１は、ＡＲＡレベルバースト４５を正常に読み出せない場合は、即リードアンプのゲイン値を初期値に再設定しているため、記録ブロック４９のデータが正常に書き込みを行われていた状態において、ＡＲＡレベルバースト４５に要因があり、ＡＧＣ２７のアンプゲインを適切に設定できずに正常に記録ブロック４９を読み出すことができない場合に、リード復元時のマージンが少なくなるという欠点がある。
【００１４】
上記欠点を解決すべく、特開昭５９ー０２２２０９に記載の磁気テ−プ装置の書込み制御方式では、データ書込みに先立ってＡＲＡバーストを書込み自動利得調整機構の利得調整を再度実施する技術が開示されているが、当該技術では、ＡＲＡバーストの前側のＩＢＧより書き直し処理を行っており、すでに書き込まれている記録ブロックのデータを上書きしてしまう可能性があるという欠点がある。
【００１５】
【発明が解決しようとする課題】
上述の従来の磁気テープ装置は、ＡＲＡレベルバーストを正常に読み出せない場合、即リードアンプのゲイン値を初期値に再設定しているため、記録ブロックのデータが正常に書き込みを行われていた状態において、ＡＲＡレベルバーストに要因があり、ＡＧＣのアンプゲインを適切に設定できずに正常に記録ブロックを読み出すことができない場合に、リード復元時のマージンが少なくなり、特にバックアップを使用目的とするケースにおいては、記録されているデータを読み出せないことによる機能上の致命的な欠陥が発生するという課題がある。
【００１６】
また、データ書込みに先立ってＡＲＡバーストを書き込み自動利得調整機構の利得調整を再度実施する特開昭５９ー０２２２０９に開示の技術は、ＡＲＡバーストの前側のＩＢＧより書き直し処理を行っており、この書き込み制御方式ではすでに書き込まれている記録ブロックのデータを上書きしてしまう可能性があるという課題がある。
【００１７】
本発明の目的は、ＡＲＡレベルバーストを正常に読み出せない場合、記録ブロックの前側に位置するＩＢＧ領域の前側のバースト領域より磁気テープ媒体をリバース走行させ、ＡＲＡレベルバーストを上書き処理を行うことにより、記録ブロックの上書きをする可能性を皆無とし、ＡＲＡレベルバーストの読み出しを再度行い、書き直されたＡＲＡレベルバーストよりＡＧＣのアンプゲインを設定することにより、記録ブロックのデータのリードマージンの向上を図り、特にバックアップ動作時における読み出し処理の向上を図った磁気テープ装置を提供することにある。
【００１８】
【課題を解決するための手段】
本発明の磁気テープ装置は、磁気テープ媒体の複数のトラックを同時に記録・再生を行う磁気ヘッドを有する磁気テープ装置であって、磁気テープ媒体は、先頭から順次磁気テープ媒体のフォワード方向走行に対してデータ領域に記録されているデータの記録方式を識別する記録密度識別バーストとバースト領域とインターブロックギャップ領域とデータ領域とを有し、バースト領域は、磁気ヘッドにより再生した信号を増幅する再生増幅器の利得自動調整用のレベルバーストと磁気テープ媒体のリバース走行時におけるバースト領域へ突入したことを検知する識別バーストとを有し、磁気ヘッドによりレベルバーストが正常に再生できない場合、バースト領域から磁気テープ媒体をリバース方向走行によりバースト領域を書き直す手段を有することを特徴とする。
【００１９】
本発明の磁気テープ装置は、磁気テープ媒体のフォワード方向走行時に磁気テープ媒体を巻き取る巻き取りリールと、磁気テープ媒体のリバース方向走行時に磁気テープ媒体を巻き取る供給リールと、供給リールと巻き取りリールとの間に配置され磁気テープ媒体に情報の記録再生を行う磁気ヘッドと、磁気ヘッドに対する磁気テープ媒体のテンションを付与すると共に磁気テープ媒体をフォワード方向／リバース方向に走行させるモータと、モータの駆動制御を行うモータ制御部とを有するデッキ部と、ホスト装置とデッキ部とに各々インターフェース部を介して接続されデッキ部に動作命令を出すと共にデッキ部の状態をホスト装置に報告するフォーマッタ部とを有する磁気テープ装置であって、磁気テープ媒体は、磁気テープ媒体の始端であることを示す物理的なマーカと磁気テープ媒体のフォワード方向走行に対してデータ領域に記録されているデータの記録方式を識別する記録密度識別バーストと複数の物理トラックとを有し、物理トラックは、記録密度識別バーストとバースト領域とデータ領域とインターブロックギャップ領域とを有し、バースト領域は、磁気ヘッドにより再生した信号を増幅する再生増幅器の利得自動調整用のレベルバーストと磁気テープ媒体のリバース走行時におけるバースト領域へ突入したことを検知する識別バーストとを有し、デッキ部は、磁気ヘッドで再生したレベルバーストの再生信号を増幅するプリアンプと、プリアンプの出力をフィルタリングするローパスフィルタと、ローパスフィルタからの出力を規定された振幅レベルまで波形整形する自動ゲイン制御部と、レベルバーストが自動ゲイン制御部で規定された振幅レベルまで増幅されない場合にインターフェース部を介してエラーステータス信号をフォーマッタ部に送信する手段と、インターフェース部を介してフォーマッタ部から送信されるデータを磁気テープ媒体に記録する波形に変換するライトデータ整形回路とを有し、フォーマッタ部は、エラーステータス信号を入出力制御回路を介して受信しホスト装置へデッキ部がビジー状態であることを報告するマイクロプロセッサを有し、マイクロプロセッサは、デッキ部に対して磁気テープ媒体のフォワード方向走行で識別バーストの終端点またはレベルバーストの終端点までバースト領域を読み出す命令を発行する手段と、識別バーストの終端点またはレベルバーストの終端点からリバース方向走行を行いバースト領域の書き直し命令を発行する手段とを有することを特徴とする。
【００２０】
磁気ヘッドは、マルチヘッドを有することを特徴とする。
【００２１】
磁気テープ媒体は、９本のトラックを有することを特徴とする。
【００２２】
レベルバーストは、全トラックにオール１パターンを有し、前記識別バーストは、６本のトラックにオール１パターンを有することを特徴とする。
【００２３】
レベルバーストは、データ領域に記録されているデータを再生する前に、レベルバーストのデータ振幅レベルを基に再生増幅器の利得を設定する調整に使用され、設定されたゲインの値を用いて記録データを再生することを特徴とする。
【００２４】
リバース方向走行により書き直されるバースト領域は、レベルバースト、または識別バーストとレベルバーストとであることを特徴とする。
【００２５】
フォーマッタ部は、レベルバーストの書き直し命令発行後、エラーステータス信号がインタフェース部を介してデッキ部より送られてくる場合、再度書き直しのリトライ命令を発行する手段を有することを特徴とする。
【００２６】
本発明の磁気テープ装置のリードマージン向上方法は、磁気テープ媒体の複数のトラックを磁気ヘッドにより同時に記録・再生を行う磁気テープ装置のリードマージン向上方法であって、磁気テープ媒体は、先頭から順次磁気テープ媒体のフォワード方向走行に対してデータ領域に記録されているデータの記録方式を識別する記録密度識別バーストとバースト領域とインターブロックギャップ領域とデータ領域とを有し、バースト領域は、磁気ヘッドにより再生した信号を増幅する再生増幅器の利得自動調整用のレベルバーストと磁気テープ媒体のリバース走行時におけるバースト領域へ突入したことを検知する識別バーストとを有し、磁気ヘッドによりレベルバーストが正常に再生できない場合、バースト領域から磁気テープ媒体をリバース方向に走行させるステップと、リバース方向走行によりバースト領域を書き直すステップとを有することを特徴とする。
【００２７】
本発明の磁気テープ装置のリードマージン向上方法は、磁気テープ媒体の複数のトラックを磁気ヘッドにより同時に記録・再生を行う磁気テープ装置のリードマージン向上方法であって、磁気テープ媒体は、先頭から順次磁気テープ媒体のフォワード方向走行に対してデータ領域に記録されているデータの記録方式を識別する記録密度識別バーストとバースト領域とインターブロックギャップ領域とデータ領域とを有し、バースト領域は、磁気ヘッドにより再生した信号を増幅する再生増幅器の利得自動調整用のレベルバーストと磁気テープ媒体のリバース走行時におけるバースト領域へ突入したことを検知する識別バーストとを有し、磁気ヘッドにより記録密度識別バーストを再生するステップと、記録密度識別バーストが正常に再生できたときレベルバーストを再生するステップと、レベルバーストが正常に再生できたとき再生増幅器のゲインを設定するステップと、設定したゲインにより識別バーストを再生するステップと、識別バーストが正常に再生できたときデータ領域を再生するステップと、レベルバーストが正常に再生できない場合、磁気テープ媒体のフォワード方向走行で識別バーストの終端点またはレベルバーストの終端点までレベルバーストを再生するステップと、識別バーストの終端点またはレベルバーストの終端点から磁気テープ媒体をリバース方向に走行させ識別バーストとレベルバースト、またはレベルバーストを書き直すステップとを有することを特徴とする。
【００２８】
バースト領域を書き直した後、レベルバーストが正常に再生できない場合は、再度レベルバーストを書き直すリトライのステップを有することを特徴とする。
【００２９】
リトライを規定回数行ってレベルバーストが正常に再生できない場合は、再生増幅器のゲインを初期値に設定するステップを有することを特徴とする。
【００３０】
【発明の実施の形態】
次に、本発明の磁気テープ装置の一実施の形態について図面を参照して説明する。
【００３１】
図１は、本発明の磁気テープ装置の一実施の形態を示す概略構成ブロック図、図２は、磁気テープ装置の概略を示す外観図である。
【００３２】
図１、図２を参照すると、本発明の磁気テープ装置１は、磁気テープ媒体４０のフォワード方向走行１５時に磁気テープ媒体４０を巻き取る巻取りリール１２と、磁気テープ媒体４０のリバース方向走行１６時に磁気テープ媒体４０を巻き取る供給リール１１と、供給リール１１と巻き取りリール１２との間に配置され磁気テープ媒体４０に情報の記録再生を行うマルチヘッドからなる磁気ヘッド２１と、磁気ヘッド２１に対する磁気テープ媒体４０のテンションを付与すると共に磁気テープ媒体４０をフォワード方向／リバース方向に走行させるモータ２２と、モータ２２の駆動制御を行うモータ制御部２３とを有するデッキ部２０と、ホスト装置１０とデッキ部２０とに各々インターフェース部（１）３５、インターフェース部（２）２４を介して接続されデッキ部２０に動作命令を出すと共にデッキ部２０の状態をホスト装置１０に報告するフォーマッタ部３０とで構成される。
【００３３】
磁気テープ媒体４０は、そのフォーマットを示す図４を参照すると、先頭に磁気テープ媒体４０の始端であることを示す物理的なＢＯＴマーカ４７とデータ領域４３に記録されているデータの記録方式を識別する記録密度識別バースト４６とがあり（本実施例ではトラック”６”に書き込まれている）に、トラック”１”〜トラック”９”の９本の物理トラック４７は、バースト領域４１とデータ領域４３とインターブロックギャップ領域（ＩＢＧ領域）４２とから成り、バースト領域４１は、磁気テープ媒体４０のフォワード方向走行１５に対して、磁気ヘッド２１により再生した信号を増幅する再生増幅器（ＡＧＣ）２７の利得自動調整用のＡＲＡレベルバースト４５と磁気テープ媒体４０のリバース方向走行１６時におけるバースト領域４１へ突入したことを検知するＡＲＡ識別バースト４４とから構成され、ＡＲＡレベルバースト４５は、全トラック４８にオール１パターンが書き込まれ、ＡＲＡ識別バースト４４は、トラック”２”、トラック”３”、トラック”５”、トラック”６”、トラック”８”、トラック”９”の計６本のトラック４８にオール１パターンが書き込まれている。
【００３４】
デッキ部２０は、磁気ヘッド２１で再生したＡＲＡレベルバースト４５の再生信号を増幅するプリアンプ２５と、プリアンプ２５の出力をフィルタリングするローパスフィルタ２６と、ローパスフィルタ２６からの出力を規定された振幅レベルまで波形整形する自動ゲイン制御部（ＡＧＣ）２７と、ＡＲＡレベルバースト４５が自動ゲイン制御部２７で規定された振幅レベルまで増幅されない場合にインターフェース部（２）２４を介してエラーステータス信号をフォーマッタ部３０に送信する手段と、インターフェース部（２）を介してフォーマッタ部３０から送信されるデータを磁気テープ媒体４０に記録する波形に変換するライトデータ整形回路２８とから成り、フォーマッタ部３０は、エラーステータス信号を入出力制御回路（ＩＯ制御回路）３１を介して受信しホスト装置１０へデッキ部２０がビジー状態であること示すリバースライト用ビジー信号ｂを報告するマイクロプロセッサ（ＭＰＵ）３２と、磁気テープ媒体４０に記録するデータ方式に変換を行うライトデータ制御回路３３と、ホスト装置１０で認識できる元データに戻されるリードデータ制御回路３４とで構成される。
【００３５】
マイクロプロセッサ３２は、デッキ部２０に対して磁気テープ媒体４０のフォワード方向走行１５でＡＲＡ識別バースト４４の終端点４４ｅまたはＡＲＡレベルバースト４５の終端点４５ｅまでバースト領域４１を読み出す命令を発行し、ＡＲＡ識別バースト４４の終端点４４ｅまたはＡＲＡレベルバースト４５の終端点４５ｅからリバース方向走行を行い、ＡＲＡ識別バースト４４とＡＲＡレベルバースト４５との書き直し、またはＡＲＡレベルバースト４５のみの書き直しのリバースライト命令信号ａをライトデータ制御回路３３に発行するよう構成されている。
【００３６】
次に、上述のように構成された磁気テープ装置１の動作について、図面を参照して説明する。
【００３７】
図３は、磁気テープ装置１の再生（読み出し）動作を示すフローチャートである。
【００３８】
図３を参照すると、再生動作を開始するとバースト領域４１を読み出し（ステップ１１）、先ず記録密度識別バースト４６の読み出しを行うが（ステップ１２）、記録密度識別バースト４６を正常に読み出せない場合、磁気テープ媒体４０に書き込まれている記録密度を特定することができないため、異常終了となり（ステップ１３）、記録密度識別バースト４６を正常に読み出せた場合、次にＡＲＡレベルバースト４５の読み出しを行う（ステップ１４）。
【００３９】
ＡＲＡレベルバースト４５が正常に読み出せた場合、リードアンプのゲイン値をＡＧＣ２７で適切に設定し（ステップ２０）、ＡＲＡ識別バースト４４の読み出しを行う（ステップ２１）が、ＡＲＡレベルバースト４５を正常に読み出せない場合は、フォーマッタ部３０へＡＲＡレベルエラー信号を示すエラーステータス信号をデッキ部２０より報告を行い（ステップ１５）、ＡＲＡレベルエラー信号をフォーマッタ部３０が受信すると、フォーマッタ部３０のマイクロプロセッサ３２は、フォーマッタ部３０がデッキ部２０の処理中であることを入出力制御回路（ＩＯ制御回路）３１、インターフェース部（１）３５を介してビジー状態であること示すリバースライト用ビジー信号ｂをホスト装置１０へ送信すると共に、入出力制御回路（ＩＯ制御回路）３１を介してデッキ部２０へＡＲＡレベルバースト４５の終端点４５ｅまでのフォワード方向走行１５によりＡＲＡレベルバースト４５の読み出し処理命令を発行し、その後、リバース方向走行１６によりＡＲＡレベルバースト４５を上書きするため、ＡＲＡレベルバースト４５のリバースライト命令信号ａをライトデータ制御回路３３に送信し、ＡＲＡレベルバースト４５、ＡＲＡ識別バースト４４のデータをインターフェース部（２）を経由してデッキ部２０に送信する。
【００４０】
デッキ部２０は、フォワード方向走行１５によりＡＲＡレベルバースト４５の読み出し処理命令を実行し（ステップ１７）、その後、受信したＡＲＡレベルバースト４５のデータをライトデータ整形回路２８で変換して、磁気ヘッド２１で磁気テープ媒体４０のリバース方向走行１６によりＡＲＡレベルバースト４５にオール”１”パターンを上書きする（ステップ１８）。
【００４１】
書き直し処理を行った後、再びＡＲＡレベルバースト４５の読み出しを行い（ステップ１４）、正常に読み出せず、フォーマッタ部３０へＡＲＡレベルエラー信号がデッキ部２０より報告された場合、マイクロプロセッサ３２は、規定の回数だけ書き直しのリトライ処理を行う（ステップ１６）。
【００４２】
ＡＲＡレベルバースト４５の書き直し処理が規定回数に達してもＡＲＡレベルバースト４５が正常に読み出せない場合、リードアンプのゲイン値を初期値に設定し（ステップ１９）、ＡＲＡ識別バースト４４の読み出しを行う（ステップ２１）。
【００４３】
なお、リードアンプのゲイン値を設定するＡＧＣ２７は、図示による詳述を省略するが、ゲインの可変領域が１〜８の８段階に設定できるようになっており、初期値は、可変領域の中心である４に設定されている。
【００４４】
ＡＲＡ識別バースト４４を正常に読み出せない場合、異常終了となり（ステップ２４）、ＡＲＡ識別バースト４４を正常に読み出せた場合、記録ブロック４９のデータをＡＲＡレベルバースト４５で設定したリードアンプのゲイン値で読み出し（ステップ２２）、記録ブロック４９のデータを正常に読み出すことができた場合は、正常終了（ステップ２３）となり、記録ブロック４９のデータを正常に読み出せなかった場合は、異常終了（ステップ２４）となる。
【００４５】
上述の如く、磁気テープ装置１は、ＡＲＡレベルバースト４５が正常に読み出せない場合、ＡＧＣ２７のリードアンプゲインをすぐには初期値に設定せず、一度、ＡＲＡレベルバースト４５を磁気テープ４０のリバース方向走行１６で書き直し、再びＡＲＡレベルバースト４５の読み出しを行い、リードアンプゲインを設定することにより、記録ブロック４９を上書きする危険性を皆無とし、ＡＧＣ２７のアンプゲインを適切に設定でき、データの再生復旧能力の向上を図ることができるという効果がある。
【００４６】
上述の磁気テープ装置１では、ＡＲＡレベルバースト４５が正常に読み出せない場合、ＡＲＡレベルバースト４５を上書きするため、ＡＲＡレベルバースト４５の終端点４５ｅまでのフォワード方向走行１５でＡＲＡレベルバースト４５の読み出しを行い、その後、磁気テープ媒体４０をリバース方向走行１６させ、バースト領域４１のＡＲＡレベルバースト４５のみにオール”１”パターンを上書きすることにより、ＡＲＡレベルバースト４５に起因するリードマージン向上に限定して説明をしたが、ＡＲＡレベルバースト４５が正常に読み出せないトラック４８がトラック”２”、”３”、”５”、”６”、”８”、”９”の何れかである場合、ＡＲＡ識別バースト４４の終端点４４ｅまでのフォワード方向走行１５でバースト領域４１の読み出しを行い、その後、ＡＲＡ識別バースト４４とＡＲＡレベルバースト４５とをリバース方向走行１６により各々所定のオール”１”パターンを書き直し処理を行うことにより、ＡＲＡレベルバースト４５だけでなくＡＲＡ識別バースト４４に起因するリードエラーをも回避することができるが、この場合も本発明に含まれることは云うまでもない。
【００４７】
【発明の効果】
以上説明したように、本発明の磁気テープ装置およびそのリードマージン向上方法は、ＡＲＡレベルバーストを正常に読み出せない場合、記録ブロックの前側に位置するバースト領域より磁気テープ媒体をリバース走行させ、ＡＲＡレベルバーストの上書き処理を行うことにより、記録ブロックの上書きをする可能性を皆無とし、ＡＲＡレベルバーストの読み出しを再度行い、書き直されたＡＲＡレベルバーストよりＡＧＣのアンプゲインを設定することにより、データの再生復旧能力の向上を図り、記録ブロックのデータのリードマージンの向上を図ることができるという効果がある。
【図面の簡単な説明】
【図１】本発明の磁気テープ装置の一実施の形態を示す概略構成正面図である。
【図２】本発明の磁気テープ装置の概略を示す外観図である。
【図３】本発明のテープ装置の再生（読み出し）動作を示すフローチャートである。
【図４】磁気テープ媒体のフォーマットを示す図である。
【図５】従来の磁気テープ装置の概略構成ブロック図である。
【図６】従来の磁気テープ装置の再生（読み出し）動作を示すフローチャートである。
【符号の説明】
１、１０１    磁気テープ装置
１０    ホスト装置
１１    供給リール
１２    巻取りリール
１５    フォワード方向走行
１６    リバース方向走行
２０    デッキ部
２１    磁気ヘッド
２２    モータ
２３    モータ制御部
２４    インターフェース部（２）
２５    プリアンプ
２６    ローパスフィルタ（ＬＰＦ）
２７    自動ゲイン制御部（ＡＧＣ）
２８    ライトデータ整形回路
３０、１３０    フォーマッタ部
３１    入出力制御回路（ＩＯ制御回路）
３２、１３２    マイクロプロセッサ（ＭＰＵ）
３３    ライトデータ制御回路
３４    リードデータ制御回路
３５    インターフェース部（１）
４０    磁気テープ媒体
４１    バースト領域
４２    インターブロックギャップ領域（ＩＢＧ領域）
４３    データ領域
４４    ＡＲＡ識別バースト
４４ｅ    終端点
４５    ＡＲＡレベルバースト
４５ｅ    終端点
４６    記録密度識別バースト
４７    ＢＯＴマーカ
４８    トラック
４９    記録ブロック
ａ    リバースライト命令信号
ｂ    リバースライト用ビジー信号
【図１】
0003751893.tif 000002
【図２】
0003751893.tif 000003
【図３】
0003751893.tif 000004
【図４】
0003751893.tif 000005
【図５】
0003751893.tif 000006
【図６】
0003751893.tif 000007